(57)【要約】【課題】危険ゾーンや受信環境が悪いゾーンなどでの受信ミスを回避し、ゾーンへの入退室を確実に判定して、管理する。【解決手段】アクティブＲＦ−ＩＤタグ１は、各ゾーンの出入り口２Ａ，２Ｂを通過することにより、電波伝搬特性の異なる２つ以上の信号を発信するものである。複数のゾーンのうち特定のゾーン（例えば危険なゾーン）の出入り口２Ｂでは、アクティブＲＦ−ＩＤタグ１より発信される２つの信号に基づき入退を判定する。前記複数のゾーンのうち残りのゾーンの出入り口２Ａでは、アクティブＲＦ−ＩＤタグ１より発信される２つの信号のうち１つの信号のみに基づき入退を判定する。【選択図】  図１
2010250682.tif 000002
【特許請求の範囲】
【請求項１】
複数のゾーンを有し、アクティブＲＦ−ＩＤタグを所持するタグ所持者が前記各ゾーンの出入り口を通過することで前記アクティブＲＦ−ＩＤタグが発信する信号に基づき、前記各ゾーンへの入退を管理する制御手段を有する入退管理制御システムにおいて、
前記アクティブＲＦ−ＩＤタグは、前記各ゾーンの出入り口を通過することにより、電波伝搬特性の異なる２つ以上の信号を発信可能なものであり、
前記制御手段は、前記複数のゾーンのうち特定のゾーンについては、前記アクティブＲＦ−ＩＤタグより発信される２つ以上の信号に基づき入退を判定することを特徴とする入退管理制御システム。
【請求項２】
前記制御手段は、前記複数のゾーンのうち残りのゾーンについては、前記アクティブＲＦ−ＩＤタグより発信される１つの信号のみに基づき入退を判定することを特徴とする請求項１記載の入退管理制御システム。
【請求項３】
前記特定のゾーンは、ゾーン内における滞在時間が一定時間内に制限されるゾーンであり、
前記制御手段は、前記入退の判定により前記特定のゾーンでの滞在時間を監視し、前記滞在時間に基づき前記特定のゾーンについての各種機器の制御を行うことを特徴とする請求項１または２記載の入退管理制御システム。
【請求項４】
複数のゾーンを有し、アクティブＲＦ−ＩＤタグを所持するタグ所持者が前記各ゾーンの出入り口を通過することで前記アクティブＲＦ−ＩＤタグが発信する信号に基づき、前記各ゾーンへの入退を管理する制御手段を有する入退管理制御システムにおいて、
前記アクティブＲＦ−ＩＤタグは、前記各ゾーンの出入り口を通過することにより、電波伝搬特性の異なる２つ以上の信号を発信するものであり、
前記制御手段は、前記各ゾーンのいずれについても、前記アクティブＲＦ−ＩＤタグより発信される２つ以上の信号に基づき入退を判定することを特徴とする入退管理制御システム。
【請求項５】
前記複数のゾーンは、ゾーン内における滞在時間が一定時間内に制限される特定のゾーンを含み、
前記制御手段は、前記入退の判定により前記特定のゾーンでの滞在時間を監視し、前記滞在時間に基づき前記特定のゾーンについての各種機器の制御を行うことを特徴とする請求項４記載の入退管理制御システム。
【発明の詳細な説明】
【技術分野】
【０００１】
本発明は、電波伝搬特性が異なる、２つ以上の信号を発信可能であるアクティブＲＦ−ＩＤタグを用いる入退管理制御システムに関するものである。
【背景技術】
【０００２】
部屋の入口横の壁面などに設置されたリーダーに、ＩＣタグ（パッシブタグ・カード型）をかざし、認証を受け入退室を行う入退管理がある（例えば、特許文献１参照）。
【０００３】
パッシブタグを用いる入退管理ではタグをリーダーにかざすという動作が必要になる。また、部屋への入退室時間や入室者の記録は残るが、その後の室内での動作（位置情報）を把握（記録）することはできない。
【０００４】
アクティブＲＦ−ＩＤタグでも同様に入退管理を行うシステムがあり、これはハンズフリーで行うことが可能である（例えば、特許文献２，３参照）。
【先行技術文献】
【特許文献】
【０００５】
【特許文献１】特開２００７−２８０２６５号公報
【特許文献２】特開２００６−２８３５０７号公報
【特許文献３】特開２００８−２１７４９６号公報
【発明の概要】
【発明が解決しようとする課題】
【０００６】
前述した先行技術は、入退管理において、いずれの出入り口においても同じように入退の判断を行っているが、そのようなものにおいては、ＩＣタグを所持しているタグ所持者が、人体に危険を及ぼすおそれがない通常ゾーンとなる部屋あるいは作業場所への入退室のほか、例えば低温場所（例えば冷凍庫）など、人体に危険を及ぼす危険ゾーンとなる部屋あるいは作業場所への入退室がある場合には、危険ゾーン部屋あるいは作業場所への入退室を、通常ゾーンとなる部屋あるいは作業場所への入退室よりも高い精度でもって確実に判定して、管理したいという要求がある。また、危険ゾーンではなくても、部屋あるいは作業場所への出入り口での受信状況が不安定である場合もあり、そのような場合においても入退室を確実に判定して管理できるようにしたいという要求がある。
【０００７】
そこで、本発明は、電波伝搬特性が異なる、２つ以上の信号を発信するアクティブＲＦ−ＩＤタグを用い、１つの信号であれば受信ミスとなっても、別の信号を受信できるようにすることにより、危険ゾーンなどでの受信ミスを回避し、ゾーンへの入退を確実に判定して管理できる入退管理制御システムを提供することを目的とする。
【課題を解決するための手段】
【０００８】
請求項１の発明は、複数のゾーンを有し、アクティブＲＦ−ＩＤタグを所持するタグ所持者が前記各ゾーンの出入り口を通過することで前記アクティブＲＦ−ＩＤタグが発信する信号に基づき、前記各ゾーンへの入退を管理する制御手段を有する入退管理制御システムにおいて、前記アクティブＲＦ−ＩＤタグは、前記各ゾーンの出入り口を通過することにより、電波伝搬特性の異なる２つ以上の信号を発信可能なものであり、前記制御手段は、前記複数のゾーンのうち特定のゾーンについては、前記アクティブＲＦ−ＩＤタグより発信される２つ以上の信号に基づき入退を判定することを特徴とする。
【０００９】
このようにすれば、受信ミスが起こってはならないゾーンや受信ミスが起こりやすいゾーンでは、アクティブＲＦ−ＩＤタグより発信される２つ以上の信号に基づき入退を判定することで、各ゾーンへの入退を確実に判定することができる。よって、各ゾーンへの入退についての確実な情報に基づき、各ゾーン内の機器を監視したり遠隔制御したりすることを実現することができ、ゾーンへの入退の管理ミスによる誤動作を防止できる。
【００１０】
この場合、請求項２に記載のように、前記制御手段は、前記複数のゾーンのうち残りのゾーンについては、前記アクティブＲＦ−ＩＤタグより発信される１つの信号のみに基づき入退を判定する構成とすることができる。
【００１１】
このようにすれば、残りのゾーンは、アクティブＲＦ−ＩＤタグより発信される１つの信号のみに基づき入退を判定するゾーンとするので、構成が簡単となり、コストダウンの点で有利となる。
【００１２】
請求項３に記載のように、前記特定のゾーンは、ゾーン内における滞在時間が一定時間内に制限されるゾーンであり、前記制御手段は、前記入退の判定により前記特定のゾーンでの滞在時間を監視し、前記滞在時間に基づき前記特定のゾーンについての各種機器の制御を行う構成とすることができる。
【００１３】
このようにすれば、ゾーン内における滞在時間が一定時間内に制限される特定のゾーンにおいて、前記滞在時間に基づき前記特定のゾーンについての各種機器の制御を行うことで、前記滞在時間に応じた制御を実現できる。
【００１４】
請求項４の発明は、複数のゾーンを有し、アクティブＲＦ−ＩＤタグを所持するタグ所持者が前記各ゾーンの出入り口を通過することで前記アクティブＲＦ−ＩＤタグが発信する信号に基づき、前記各ゾーンへの入退を管理する制御手段を有する入退管理制御システムにおいて、前記アクティブＲＦ−ＩＤタグは、前記各ゾーンの出入り口を通過することにより、電波伝搬特性の異なる２つ以上の信号を発信するものであり、前記制御手段は、前記各ゾーンのいずれについても、前記アクティブＲＦ−ＩＤタグより発信される２つ以上の信号に基づき入退を判定することを特徴とする。
【００１５】
このようにすれば、いずれのゾーンの出入り口においても、アクティブＲＦ−ＩＤタグより発信される２つ以上の信号に基づき入退を判定することで、各ゾーンへの入退を確実に判定することができ、各ゾーンへの入退についての確実な情報に基づき、各ゾーン内の機器を監視したり遠隔制御したりすることを実現することができ、ゾーンへの入退の管理ミスによる誤動作を防止できる。
【００１６】
この場合、請求項５に記載のように、前記複数のゾーンは、ゾーン内における滞在時間が一定時間内に制限される特定のゾーンを含み、前記制御手段は、前記入退の判定により前記特定のゾーンでの滞在時間を監視し、前記滞在時間に基づき前記特定のゾーンについての各種機器の制御を行う構成とすることができる。
【００１７】
このようにすれば、ゾーン内における滞在時間が一定時間内に制限される特定のゾーンにおいて、前記滞在時間に基づき前記特定のゾーンについての各種機器の制御を行うことで、前記滞在時間に応じた制御を実現できる。
【発明の効果】
【００１８】
本発明は、上記のように、ゾーンの出入り口を通過する際に、アクティブＲＦ−ＩＤタグから、電波伝搬特性の異なる２つ以上の信号を発信するようにして、前記アクティブＲＦ−ＩＤタグより発信される２つ以上の信号に基づき、タグ所持者の入退を判定するようにしているので、各ゾーンへの入退を確実に判定することができる。
【図面の簡単な説明】
【００１９】
【図１】本発明の一実施の形態である入退管理制御システムの概略構成を示す図である。
【図２】Ａゾーンでの処理の流れを示すフローチャート図である。
【図３】Ｂゾーンでの処理の流れを示すフローチャート図である。
【図４】作業開始前の処理の流れを示すフローチャート図である。
【図５】作業中の処理の流れを示すフローチャート図である。
【図６】作業終了後の処理の流れを示すフローチャート図である。
【発明を実施するための形態】
【００２０】
以下、本発明の実施の形態を図面に沿って説明する。本発明が適用される施設は、この実施の形態では、アクティブＲＦ−ＩＤタグを所持するタグ所持者が自由に移動できる通常のＡゾーンのほかに、例えば冷凍室などのようにタグ所持者が自由に移動すると安全性を損ねるおそれがあるＢゾーン（特定のゾーン）を有するものである。
【００２１】
タグ所持者は、施設内では、電波伝搬特性が異なる２つの信号（例えば３００ＭＨｚ，９００ＭＨｚ）を発信するアクティブＲＦ−ＩＤタグ１を所持して、移動することになる。そして、前記ＡゾーンやＢゾーンへの出入り口２Ａ，２Ｂには、図１に示すように、床面や天井裏などに設置した受信アンテナ４Ａ，４Ｂのほか、いずれの出入り口２Ａ，２Ｂであるかを表す場所ＩＤを含む高周波の磁界を形成するトリガーコイル３Ａ，３Ｂが設置されている。なお、各トリガーコイル３Ａ，３Ｂは、タグ所持者の通過方向に一定間隔を開けて設定される２つのトリガーコイル３Ａ１，３Ａ２，３Ｂ１，３Ｂ２を１組とし、１つのトリガーコイル３Ａ１，３Ｂ１がゾーン外に、もう１つのトリガーコイル３Ａ２，３Ｂがゾーン内に設けられ、タグ所持者の通過方向（入室であるか退室であるか）を確認できるようになっている。
【００２２】
受信アンテナ４Ａ，４Ｂには、受信アンテナ４Ａ，４Ｂで受信された情報を読み取るリーダー５Ａ，５Ｂ、このリーダー５Ａ，５Ｂからの情報をマスターデータと照合してタグ所持者の入室・退室時刻、滞在時間の管理などを行う制御手段としてのサーバー６に接続されている。このサーバー６には、パソコンなどのモニター７や、監視カメラ８が接続され、これらによってＡ，Ｂゾーンについての入退管理制御システムが構築されている。これらリーダー５Ａ，５Ｂ、サーバー６，モニター７などは出入り口２Ａ，２Ｂとは別の場所、例えば管理室などに設置されている。監視カメラ８は、出入り口２Ａ，２Ｂ付近や、その他必要な場所に設置されている。
【００２３】
よって、アクティブＲＦ−ＩＤタグ１を所持したタグ所持者がＡ，Ｂゾーンの出入り口２Ａ，２Ｂを通過する際に、アクティブＲＦ−ＩＤタグ１がトリガーコイル３Ａ，３Ｂによるトリガー磁界に進入することになるので、アクティブＲＦ−ＩＤタグ１は、いずれの出入り口２Ａ，２Ｂであるかを表す情報を含む信号（場所ＩＤ）を受け取り、アクティブＲＦ−ＩＤタグ１が持つ固有ＩＤと共に場所ＩＤを含む信号を発信する。リーダー５Ａ，５Ｂが、受信アンテナ４Ａ，４Ｂを介して、それらの情報を読み取る。サーバー６でデータ処理を行い、入退室時刻、いずれの出入り口２Ａ，２Ｂでの入退などについての情報を、入退データとして処理する。
【００２４】
ここで、アクティブＲＦ−ＩＤタグ１を所持するタグ所持者が、ＡゾーンあるいはＢゾーンの出入り口２Ａ，２Ｂを通過する際に、トリガー信号を受信すると、電波伝搬特性の異なる（例えば周波数が異なる）、アクティブＲＦ−ＩＤタグ１が２つの信号を発信するようになっている。つまり、アクティブＲＦ−ＩＤタグ１から発信される信号は、Ａゾーンを通過する際にもＢゾーンを通過する際にも、前記２つの信号（例えば３００ＭＨｚ，９００ＭＨｚ）である。
【００２５】
そして、Ａゾーンの出入り口２Ａの通過（入退室）の判定は前記２つの信号のうちの一方の信号のみを用いて、Ｂゾーンの出入り口２Ｂの通過（入退室）の判定は前記２つの信号を両方用いて、それぞれ行われる。具体的には、Ａゾーンの出入り口２Ａを通過する際には、前記２つの信号のうち、一方の信号（例えば３００ＭＨｚ）の受信の有無により、タグ所持者のＡゾーンへの入退が判定される。Ｂゾーンを通過する際には、２つの信号（例えば３００ＭＨｚ，９００ＭＨｚ）をいずれも受信できるようになっており、いずれか一方の信号が受信されることで、タグ所持者のＢゾーンへの入退が判定される。よって、Ｂゾーンでは、Ａゾーンよりもゾーンへの入退の判定精度が高められている。ここで、前述したように各トリガーコイル３Ａ，３Ｂは２つのトリガーコイル３Ａ１，３Ａ２，３Ｂ１，３Ｂ２を１組として備え、トリガーコイル３Ａ１，３Ａ２，３Ｂ１，３Ｂ２の通過の順序によってゾーンへの進入であるかゾーンからの退出であるかがサーバー６によって判定される。つまり、Ａゾーンについていえば、トリガーコイル３Ａ１の通過の信号を受信した後にトリガーコイル３Ａ２の通過の信号を受信した場合には進入と判定され、逆にトリガーコイル３Ａ２の通過の信号を受信した後にトリガーコイル３Ａ１の通過の信号を受信した場合には退出と判定される。Ｂゾーンについていえば、トリガーコイル３Ｂ１の通過の信号を受信した後にトリガーコイル３Ｂ２の通過の信号を受信した場合には進入と判定され、逆にトリガーコイル３Ｂ２の通過の信号を受信した後にトリガーコイル３Ｂ１の通過の信号を受信した場合には退出と判定される。
【００２６】
サーバー６には、Ａゾーンの受信アンテナ４ＡであるかＢゾーンの受信アンテナ４Ｂであるかが予め記憶され、Ａゾーンについては図２に基づく入退管理制御が、Ｂゾーンについては図３に基づく入退管理制御がそれぞれ実行される。
【００２７】
すなわち、Ａゾーンについては、図２に示すように、いずれかの出入り口２Ａで、アクティブＲＦ−ＩＤタグ１からの信号（例えば３００ＭＨｚ）を受信したか否かが判定される（ステップＳ１）。アクティブＲＦ−ＩＤタグ１からの信号を受信すると、情報としてリーダー５Ａによって読み取られた場所ＩＤと固有ＩＤとに基づき、どのタグ所持者が、どの出入り口２Ａを通過したか、また、進入であるか退出であるかが判定され（ステップＳ２）、必要なデータ処理を行い、入退室時刻、いずれの出入り口２Ａでの入退などについての情報を、入退データとして記録し、以後の管理に利用される。一方、アクティブＲＦ−ＩＤタグ１からの信号を受信しない場合には、ステップＳ１の判定が所定の周期で繰り返され、受信があるまでタグ所持者の通過（入退室）がないものとして処理される。
【００２８】
このように、危険度が低いＡゾーン（通常ゾーン）への出入り口２Ａにおいては、１つの周波数（例えば３００ＭＨｚ）の信号のみを用いて、入退判定を行う。つまり、出入り口２Ａの通過により、アクティブＲＦ−ＩＤタグ１からの、場所ＩＤとタグ所持者の個人ＩＤとを含む信号を受信し、その情報を元に入退室時刻の管理、入退室者数の管理が行われる。
【００２９】
また、Ｂゾーンについても、一定の周期で、図３に示すように、いずれかの出入り口２Ｂで、アクティブＲＦ−ＩＤタグ１から一方の信号（例えば、３００ＭＨｚ）を受信したか否かが判定される（ステップＳ１１）。アクティブＲＦ−ＩＤタグ１からの前記一方の信号を受信した場合には、Ａゾーンでの通過の場合と同様に、情報としてリーダー５Ｂによって読み取られた場所ＩＤと固有ＩＤとに基づき、どのタグ所持者が、どの出入り口２Ｂを通過したか、また、進入であるか退出であるかが判定され（ステップＳ１２）、どのタグ所持者が、どの出入り口２Ｂを通過したか、進入であるか退出であるかが読み取られ、必要なデータ処理を行い、入退室時刻、いずれの出入り口２Ｂの入退などについての情報を、入退データとして記録し、以後の管理に利用される。一方、アクティブＲＦ−ＩＤタグ１からの信号を受信しない場合には、さらに、アクティブＲＦ−ＩＤタグ１から前記他方の信号（例えば、９００ＭＨｚ）を受信したか否かが判定される（ステップＳ１３）。アクティブＲＦ−ＩＤタグ１から他方の信号を受信した場合には、ステップＳ１２に移行し、同様な処理がなされるが、アクティブＲＦ−ＩＤタグ１からのいずれの信号も受信しない場合には、ステップＳ１１，Ｓ１３の判定が所定の周期で繰り返され、受信があるまでタグ所持者の通過がないものとして処理される。
【００３０】
このように、Ｂゾーンの出入り口２Ｂについては、２つの周波数（例えば３００ＭＨｚ、９００ＭＨｚ）の信号を両方用いて、入退判定を行う。これにより、受信ミスを防ぎ、アクティブＲＦ−ＩＤタグ１からの信号を確実に受信して入退判定を行い、各種機器（例えば、警告装置、警報装置、非常通報装置など）の制御を確実に行うことができる。
【００３１】
このようにして処理された、アクティブＲＦ−ＩＤタグ１を利用した施設への入退管理情報に基づき、Ａゾーン、Ｂゾーン内に設置された機器の遠隔制御を行うことができる。とくに、アクティブＲＦ−ＩＤタグ１を用いることで、当該施設への入退記録をハンズフリーで行うことができ、作業の妨げとなることなく、ハンズフリーでの入退管理が可能となる。
【００３２】
アクティブＲＦ−ＩＤタグ１は、周知のように本体にバッテリなどを搭載して自ら電波を発信するものであるので、この電波を、受信アンテナ４Ａ，４Ｂが受信し、認証システムと連携して本人であるかどうかを判定し、入退許可の判断を行い、許可を得ている者だけ入退が可能となる。これにより、入退時に、一時停止することなく、ハンズフリーで入退することが可能となる。
【００３３】
そして、その入退管理情報を元に異常が起こったと判断される場合には、そのアクティブＲＦ−ＩＤタグ１に最も近い位置に設置されている監視カメラ８を制御し、状況を把握、それに基づいて機器遠隔制御を行うこともできる。
【００３４】
また、出入り口２Ａ，２Ｂ付近でトリガー信号を受信しアクティブＲＦ−ＩＤタグ１が、電波伝搬特性の異なる２つの信号を発信するゲートトリガ方式を採用することで、アクティブＲＦ−ＩＤタグ１は出入り口２Ａ，２Ｂを通過した時のみ信号を出すため、不要な電波の輻射を防ぐことが可能である。
【００３５】
それに加えて、伝搬特性の異なる２つの周波数の信号を用いる運用により、どちらか一方の信号は受信できるようにして、出入り口２Ｂでの事前に予想できない物陰等の発生による受信ミスを防ぐことができる。また、各ゾーン（部屋）の出入り口２Ａ，２Ｂの受信状況あるいは受信環境の低下による受信ミスを防止し、各ゾーンにおける機器の未動作を未然に防止する上で有利となる。さらに、警告・警報などの緊急通報もアクティブＲＦ−ＩＤタグ１の情報を元に同時に行うことができ、総合的な危機管理が実現可能となる。
【００３６】
ゾーンの設定は、例えば対象となる施設内の危険度に応じ、１つの周波数の信号だけを用いるＡゾーンとするか、または２つの周波数を用いるＢゾーンとするかが設定される。つまり、危険度が高いゾーンへの入退する場合ほど、アクティブＲＦ−ＩＤタグ１の信号の確実な伝搬が必要になり、万一の１つの周波数の信号のみ（例えば３００ＭＨｚ）の発信であれば、受信ミスとなる場合であっても、電波伝搬特性の異なる２つの周波数の信号（例えば３００ＭＨｚ，９００ＭＨｚ）を発信することで、アクティブＲＦ−ＩＤタグ１からの一方の信号を読み取ることができなくても、他方のアクティブＲＦ−ＩＤタグ１の信号を読み取ることができる場合があり、確実な情報の伝達、機器制御を行う上で有利となる。
【００３７】
ここで、Ｂゾーンとしては、具体的には。低温ゾーン（例えば冷凍庫）、高温ゾーン、低酸素ゾーンなどのゾーン内に一定時間以上いると、人体に危険あるいは悪影響を及ぼすゾーンが考えられる。
【００３８】
よって、このＢゾーン（特定のゾーン）においては、前述したように、入退の判定を精度よくできるので、Ｂゾーンでの滞在時間を監視し、前記滞在時間に基づき前記特定のゾーンについての各種機器の制御を行うことで、前記滞在時間に応じた制御を実現できる。つまり、その滞在時間に基づき、Ｂゾーンに一定時間を超えて滞在することがないようにＢゾーンについての各種機器の制御を精度よく行い、万一、一定時間を超えて滞在してしまってもタグ所持者の人体に危険あるいは悪影響を及ぼすのを回避できるようにＢゾーンについての各種機器の制御を精度よく行い、安全面で有利なゾーン監視を実現することができる。前記各種機器の制御としては、例えば、滞在時間が長く一定時間を超えている場合に、警報を発報する警報器の制御、その警報によっても退出しない場合には、低温場所（例えば冷凍庫）であれば、低温場所の温度を設定温度よりも上げる空調機の制御などが該当する。
【００３９】
続いて、前記システムを、複数の部屋を有する施設に適用した場合における、一般的な処理動作の流れの一例を、作業開始前、作業中および作業終了後について図４、図５及び図６を用いて説明する。ここで、施設の各部屋がＡゾーンあるいはＢゾーンとして予め設定されるものとし、各ゾーンへの入退管理は、図２、図３に示す判定処理が用いられる。
（作業開始前）
電源オンなどでスタートすると、まず、システム全体が待機状態となる（ステップＳ２１）。つまり、トリガーコイル３Ａ，３Ｂ（トリガーコイル３Ａ１，３Ａ２，３Ｂ１，３Ｂ２）は高周波の磁界を常時形成する状態となり、受信アンテナ４Ａ，４Ｂは、常時受信可能な状態となる。これにより、タグ所持者が、出入り口２Ａ，２Ｂを通過することで、アクティブＲＦ−ＩＤタグ１が信号を発信し、その信号を受信アンテナ４Ａ，４Ｂが直ちに受信することになる。
【００４０】
そして、前記待機状態において、施設の出入り口を、入室を希望する者が通過しようとすると、入室の許可を得ている者であるか否かが、前記固有ＩＤなどに基づき判定され（ステップＳ２２）、入室の許可を得ている者である場合には、続けて最初の一人であるか否かが判定される（ステップＳ２３）一方、入室の許可を得ていない者である場合には、解錠されることなく、入室が禁止され、待機状態（ステップＳ２１）に戻る。
【００４１】
ステップＳ２３において、入室を許可された者が最初の一人であると判定される場合には、施設の鍵が解錠され（ステップＳ２４）、照明装置・空調装置がＯＮされ（ステップＳ２５）、入室者の入室時刻が記録され、管理される（ステップＳ２６）一方、最初の一人でない場合には、直ちに入室者の入室時刻が記録され、管理される（ステップＳ２６）。
【００４２】
その後、監視カメラ８などの機器制御が開始され（ステップＳ２７）、管理者等の特定のタグ所持者の入室があったか否かが判定され（ステップＳ２８）、特定のタグ所持者の入室があった場合には、作業機器の電源がＯＮされ（ステップＳ２９）、作業が開始される一方、特定のタグ所持者の入室がない場合には、作業開始まで待機状態とされる。
（作業中）
作業開始でスタートすると、作業中の入室であるか否かが判定され（ステップＳ３０）、作業中の入室であれば遅刻として（ステップＳ３５）、ステップＳ３０に戻る。一方、作業中の入室でない場合には、作業中の退室であるか否かが判定され（ステップＳ３１）、作業中の退室である場合には、続けて規定時間内に戻るか否かが判定され（ステップＳ３２）、規定時間内に戻るのであれば通常勤務（ステップＳ３３）として、規定時間内に戻らないのであれば早退（ステップＳ３４）として、それぞれステップＳ３０に戻る。一方、作業中の退室でなければ、そのままステップＳ３１に戻る。
（作業終了後）
作業終了によりスタートすると、続けて作業を行う者がいるか否かが判定され（ステップＳ４１）、続けて作業を行う者がいる場合には、続けて作業許可を得た者であるか否かが判定され（ステップＳ４２）、作業許可を得た者であれば、ステップＳ４１に戻る。
【００４３】
作業許可を受けていない者であれば、その作業許可を受けていない者の注意喚起のために警報装置からの警報出力などにより警告がなされ（ステップＳ４３）、監視カメラ８などを用いて、前記作業許可を受けていない者がいる部屋（ゾーン）についてゾーン監視が行われ（ステップＳ４４）、そのゾーンの作業機器についての機器制御が行われる（ステップＳ４５）。
【００４４】
一方、続けて作業を行う者がいない場合には、終了時刻管理に移行する（ステップＳ５１）。つまり、作業を終了して退室する者の退室時刻が記録され、管理に利用される。
【００４５】
それから、作業機器の電源がＯＦＦされ（ステップＳ５２）、照明装置・空調装置がＯＦＦされ（ステップＳ５３）、最後の者が退出したか否かが判定される（ステップＳ５４）。
【００４６】
最後の者が退出するまでステップＳ５４の判定が所定の周期で繰り返され、最後の者が退出すると、施設の施錠が行われ（ステップＳ５５）、監視カメラ８の電源がＯＦＦされ（ステップＳ５６）、終了する。
【００４７】
本発明においては、前記実施の形態は、次のように変更することも可能である。
【００４８】
(i)前記実施の形態では、Ｂゾーンを危険ゾーンとしているが、危険ゾーンでなくとも、施設内の状況に応じ１つの周波数の信号での受信が確実でなく不安定な場所や、日々部屋内の設置物の位置が変化し、アクティブＲＦ−ＩＤタグの信号の電波伝搬が安定せず変化してしまう様な場所等についても、Ｂゾーンとして、周波数の異なる、２つ以上の信号を用いて、アクティブＲＦ−ＩＤタグ１の信号の受信を確実に行い、正確な入退判定を実行することができる。
【００４９】
(ii)前記実施の形態では、いずれのゾーンの出入り口でも、アクティブＲＦ−ＩＤタグが１つのトリガー信号の受信により、周波数の異なる２つ以上の信号を同時に発信するようにしているが、それぞれの信号の発信に対応する、２つ以上のトリガー信号を用いることも可能である。この場合、アクティブＲＦ−ＩＤタグ１からの発信は同時でもよいし、受信判定する順序などに応じて一定時間ずらして発信するようにしてもよい。
【００５０】
(iii)前記実施の形態では、特定のゾーンの出入り口２Ｂにおいて、電波伝搬特性が異なる２つ以上の信号を用いて入退の判定をしているが、全てのゾーンの出入り口２Ａ，２Ｂにおいて２つ以上の信号を用いて入退の判定をすることも可能である。
【符号の説明】
【００５１】
１    アクティブＲＦ−ＩＤタグ
２Ａ，２Ｂ    出入り口
３Ａ，３Ｂ    トリガーコイル
４Ａ，４Ｂ    受信アンテナ
５Ａ，５Ｂ    リーダー
６    サーバー
７    モニター
８    監視カメラ
【図１】
2010250682.tif 000003
【図２】
2010250682.tif 000004
【図３】
2010250682.tif 000005
【図４】
2010250682.tif 000006
【図５】
2010250682.tif 000007
【図６】
2010250682.tif 000008